(57)【要約】【課題】用紙上の顔写真の貼付位置を確実に検出することが可能で、位置ずれのない高品質のＩＤカードを作成できる複写型のＩＤカード作成装置。【解決手段】用紙上に貼付された顔写真を読み取って得られる顔写真画像データを用いて、顔写真入りのＩＤカードを作成する複写型ＩＤカード作成装置において、前記用紙上の顔写真を読み取る読取手段と、少なくとも前記用紙を透過する電磁波を検知して前記顔写真の貼付位置を検出する貼付位置検出手段と、を備えたこと。【選択図】        図２
2004174889.tif 000002
【特許請求の範囲】
【請求項１】
用紙上に貼付された顔写真を読み取って得られる顔写真画像データを用いて、顔写真入りのＩＤカードを作成する複写型ＩＤカード作成装置において、
前記用紙上の顔写真を読み取る読取手段と、
少なくとも前記用紙を透過する電磁波を検知して前記顔写真の貼付位置を検出する貼付位置検出手段と、
を備えたことを特徴とする複写型ＩＤカード作成装置。
【請求項２】
前記貼付位置検出手段は少なくとも前記用紙を透過する赤外線を検知して前記顔写真の貼付位置を検出することを特徴とする請求項１に記載の複写型ＩＤカード作成装置。
【請求項３】
前記貼付位置検出手段は少なくとも前記用紙を透過する可視光線を検知して前記顔写真の貼付位置を検出することを特徴とする請求項１に記載の複写型ＩＤカード作成装置。
【請求項４】
前記読取手段による顔写真の読み取りと、前記貼付位置検出手段による前記顔写真の貼付位置の検出とを略同時期に行うことを特徴とする請求項１〜３のいずれか１項に記載の複写型ＩＤカード作成装置。
【請求項５】
前記貼付位置検出手段により検出された顔写真の貼付位置に基づいて前記読取手段により読み取った前記顔写真の位置修正を行うべく、前記顔写真の画像データを制御する制御手段を備えたことを特徴とする請求項１〜４のいずれか１項に記載の複写型ＩＤカード作成装置。
【請求項６】
用紙上に貼付された顔写真を読み取って得られる顔写真画像データを用いて、顔写真入りのＩＤカードを作成する複写型ＩＤカード作成方法において、
少なくとも前記用紙を透過する電磁波を検知して前記顔写真の貼付位置を検出することを特徴とするＩＤカード作成方法。
【請求項７】
少なくとも前記用紙を透過する赤外線を検知して前記顔写真の貼付位置を検出することを特徴とする請求項６に記載のＩＤカード作成方法。
【請求項８】
少なくとも前記用紙を透過する可視光線を検知して前記顔写真の貼付位置を検出することを特徴とする請求項６に記載のＩＤカード作成方法。
【請求項９】
前記顔写真を読み取りと、前記顔写真の貼付位置の検出とを略同時期に行うことを特徴とする請求項６〜８のいずれか１項に記載のＩＤカード作成方法。
【請求項１０】
前記顔写真の貼付位置の検出結果に基づいて読み取った前記顔写真の位置修正を行うべく前記顔写真の画像データを制御して、ＩＤカードを作成することを特徴とする請求項６〜９のいずれか１項に記載のＩＤカード作成方法。
【請求項１１】
請求項１〜５のいずれか１項に記載された複写型ＩＤカード作成装置により作成されたことを特徴とする複写型ＩＤカード。
【発明の詳細な説明】
【０００１】
【発明の属する技術分野】
本発明は、顔写真を複写して顔写真入りのＩＤカードを作製するＩＤカード作製技術に関する。
【０００２】
【従来の技術】
市中に設置されているボックス型の証明写真撮影装置で得られるような顔写真を申請書や台紙などの用紙に貼り付け、その顔写真を複写して顔写真入りのＩＤカードを作成するＩＤカード作成装置が従来より知られている。
【０００３】
この様なＩＤカードは、先ず用紙上の所定の位置に顔写真を貼り付け、その顔写真をスキャナやＣＣＤカメラなどで読み取り、読み取りにより得た写真画像と共に、氏名、住所、生年月日等の個人データをカード上にプリントして作成される。
【０００４】
用紙上の所定位置に顔写真を貼り付ける場合、顔写真が所定の位置に正確に貼り付けることが重要であるが、中には所定位置に正確に貼り付けずに、曲がって貼り付けたり、所定位置からずれてはみ出して貼り付けたりする人もいる。
【０００５】
この様に、写真が所定位置からずれて貼り付けられると、顔写真のずれた体裁の悪いＩＤカードが作成されるので好ましくない。また、顔写真を正確に貼付した用紙であっても、カード作成装置内を搬送中に何らかの作用によって用紙が曲がって搬送されることもあり得るので、顔写真を正確に貼り付けても顔写真の位置がずれたＩＤカードが作成されることもある。
【０００６】
このために、用紙上で顔写真が所定位置からずれて貼り付けられても作成装置で位置ずれの修正を行い、また、搬送時に用紙が曲がって搬送されないようにし、顔写真がずれることなく、正確にしかも体裁よくプリントされたＩＤカードの得られるカード製造装置が従来より提案されてきた。
【０００７】
例えば、特開平８−２８６２３９号公報（以下、特許文献１という）の段落番号０００６，０００７には顔写真の撮影領域を当該顔写真の大きさよりも小さい領域にして写し込みカード作成時に規定の大きさにプリントしたり、顔写真のずれ量や傾き角を検知しカード作成時に位置ずれや傾きを自動修正したものをプリントすると共に、用紙を搬送するときに曲がったりしないようにしたカード作成装置が開示されている。
【０００８】
また、特開２００１−１８０１６０号公報（以下、特許文献２という）の段落番号００３７には、規定の写真サイズより大きい読取サイズで画像を読み取り、読み取りにより得られた画像データから写真エッジを検出し、検出された写真エッジを含まない写真画像をカード用の証明写真として抽出するＩＤカード作成装置が開示されている。
【０００９】
【特許文献１】
特開平８−２８６２３９号公報（段落番号０００６，０００７参照）
【００１０】
【特許文献２】
特開２００１−１８０１６０号公報（段落番号００３７参照）
【００１１】
【発明が解決しようとする課題】
ところで、用紙上に貼り付けられた顔写真から鮮明で且つ濃度むらのない良好な画質を有する複写画像データを作成するには、顔写真画像の読取りを行うときに用いられる照明光を顔写真に対して均一に照射し、顔写真上に陰影が発生せずしかも顔写真上で光が乱反射することのないように照射することが必要である。なお、上記特許文献には、用紙に貼り付けた顔写真より良好な画質を有する複写画像データを作成することは記載されていない。
【００１２】
そして、特許文献２に開示されるように、顔写真より読み取った画像データから写真エッジを検出する技術では、美しい仕上りの複写画像データが得られる照射条件で顔写真の読み取りを行うと、読み取られた画像からの写真エッジの検出が非常に困難であることが判明した。
【００１３】
また、近年では用紙に貼付される顔写真は、銀塩写真方式で作成された顔写真以外に、ビデオプリンタやインクジェットプリンタといった画像形成装置で作成された顔写真も使用されている。そして、これらの顔写真は銀塩写真のような厚手の印画紙とは異なって薄手な用紙を用いているために、顔写真を用紙に貼付けると画像上に凹凸が発生し易いなど、厚手の顔写真よりも美しい複写画像を作り難いことが判明した。そのため、照射条件をより厳しい条件で行う必要があるので、読取り画像から写真エッジを検出することは困難であった。
【００１４】
この様に、顔写真から美しい複写画像データを作成する上で照射条件を厳しくすると、読み取った画像から写真エッジを検出できなくなるという問題が発生した。
【００１５】
また、上記特許文献に開示されたカード作成装置は、用紙に貼付した顔写真の位置検出を行った後に顔画像の読込みを行うものであったり、顔写真の読込みを行い読み込んだ顔画像データを用いて位置を検出するものであったので、顔写真の位置検出と顔画像の読取りを段階的に行わなくてはならず、これら２つの作業工程がカード作成時間を短縮化させる上での障壁となっていた。更に、顔写真の位置検出と顔画像の読取りを段階的に行うと、用紙の搬送経路が長くなり、カード作成装置の小型化の阻害になっていた。
【００１６】
本発明はかかる問題に鑑みてなされたものであり、用紙上の顔写真の貼付位置を確実に検出することが可能で、位置ずれのない高品質のＩＤカードを作成できる複写型のＩＤカード作成装置、ＩＤカード作成方法、及び複写型ＩＤカードを提案することを目的とする。
【００１７】
また、本発明によれば、顔写真の位置検出と画像読み取りに時間をかけずに迅速にＩＤカードを作成することも可能である。
【００１８】
【課題を解決するための手段】
本発明者は、顔写真の貼付された用紙では、写真を貼付した個所と貼付していない個所とでは厚みに差があることに着目し、厚みに差があれば用紙を透過する電磁波の透過量に差があると考えた。そして、電磁波の透過量の違いから用紙上における写真を貼付した個所と貼付していない個所とを識別できることを見出し本発明に到った。
【００１９】
即ち、本発明者は、例えば赤外ＣＣＤカメラを利用して用紙を透過する赤外線を検出し、写真を貼付した個所は貼付していない個所よりも赤外線の透過量が少なく、両者の赤外線透過量の差から、顔写真の貼付位置を検出することを可能にした。
【００２０】
このように、写真を貼付した個所と貼付していない個所とでは用紙の厚みに差のあることに着目し、両者の間を透過する電磁波の量を検出することで用紙上の写真貼付個所を検知するという技術思想は、従来の顔写真画像から写真エッジを検出して貼付位置の検知を行う技術とは全く異なるものである。
【００２１】
上記目的は下記のいずれかの手段により達成される。
▲１▼用紙上に貼付された顔写真を読み取って得られる顔写真画像データを用いて、顔写真入りのＩＤカードを作成する複写型ＩＤカード作成装置において、前記用紙上の顔写真を読み取る読取手段と、少なくとも前記用紙を透過する電磁波を検知して前記顔写真の貼付位置を検出する貼付位置検出手段と、を備えたことを特徴とする複写型ＩＤカード作成装置。
【００２２】
▲２▼用紙上に貼付された顔写真を読み取って得られる顔写真画像データを用いて、顔写真入りのＩＤカードを作成する複写型ＩＤカード作成方法において、少なくとも前記用紙を透過する電磁波を検知して前記顔写真の貼付位置を検出することを特徴とするＩＤカード作成方法。
【００２３】
▲３▼特許請求の範囲における請求項１〜５のいずれか１項に記載された複写型ＩＤカード作成装置により作成されたことを特徴とする複写型ＩＤカード。
【００２４】
【発明の実施の形態】
以下に本発明の複写型ＩＤカード作成装置の実施の形態について、図を参照して詳細に説明する。
【００２５】
先ず、ＩＤカードを申請するための申請書について図１を参照して説明する。申請書にはＩＤカードの目的に応じて必要なデータが記載されており、図１に示す申請書１においては、申請者の氏名、住所、生年月日等の個人データ１ａと被申請者側で付与した登録番号１ｂが記載されている。また、申請者の顔写真２が所定の写真貼り付け位置に貼り付けられている。
【００２６】
なお、ＩＤカードとしては、個人の身分証明書、役所への登録証明書、医院での診察券、交通機関への乗降カード、図書館等での貸し出し証、運転免許証、商品購入に際して加算されるポイントカード、クレジットカード等、どのようなものであってもよい。
【００２７】
次に、複写型ＩＤカード作成装置の概略構成を図２を参照して説明する。
先ず、ＩＤカードを作成するための複数枚の申請書１を申請書トレイ１１に積載する。ここで、所定の開始操作を行うと、申請書１は複数の搬送ローラ１２によって１枚ずつ自動的に下方に搬送される。搬送された申請書１はＯＣＲ（光学式文字読取装置）１３の位置で停止し、申請書１に記載された個人データ１ａや登録番号１ｂがＯＣＲ１３によって読み取られ、その読み取りデータはＯＣＲ解読部１４で解読される。
【００２８】
続いて、申請書１はＣＣＤカメラ１５の位置に搬送されて停止する。そして、申請書１に貼り付けられている顔写真２がＣＣＤカメラ１５によって撮像されて読み取られる。このとき、ＣＣＤカメラ１５による撮像画角は顔写真２に対する撮像画角より大きく設定されていて、顔写真２にある程度の曲がりや位置ずれがあっても、顔写真２と共に顔写真２の周辺に位置する申請書１の一部も撮像されるように構成されている。なお、顔写真２は複数の照明灯１７によって照明され、薄手の顔写真２に凹凸が生じていても照明ムラがないようにしている。
【００２９】
そして、ＣＣＤカメラ１５によって撮像された顔写真２の顔写真画像データは顔画像処理部１６でデジタル変換された後、所定の画像処理がなされる。
【００３０】
申請書１に対するＣＣＤカメラ１５の反対側の位置、即ち申請書１の裏面側の位置には赤外ＣＣＤカメラ１８が配置されている。そして、ＣＣＤカメラ１５による顔写真２の撮像と同時に、赤外ＣＣＤカメラ１８によって顔写真２を裏面側から撮像する。このとき、顔写真２の周辺に位置する申請書１の一部も裏面側から撮像する。
【００３１】
顔写真２は申請書１に貼り付けられているので、顔写真２の部分の厚みは周辺の申請書１のみの部分の厚みより厚い。従って、顔写真２の部分の方がその周辺より赤外線透過光量が少なくなるので、赤外線透過光量の差によって顔写真２の周縁部、即ち写真エッジを検知することができる。このようにして赤外ＣＣＤカメラ１８により撮像された画像データはＣＰＵからなる写真位置検出部１９にてデジタル変換された後、所定の画像処理がなされて写真エッジが検出され、顔写真２が所定の位置に正確に貼り付けられているときの理想の写真エッジであって、予め記憶されている写真エッジと照合されて、その顔写真２の傾きや位置ずれが検出される。
【００３２】
なお、顔写真２は申請書１に対して傾いたり、位置ずれしたりして貼り付けられていても、極端な値でない限り撮像可能な撮像画角に赤外ＣＣＤカメラ１８は設定されている。従って、顔写真２の周辺に位置する申請書１の一部も必ず撮像される。
【００３３】
このようにして、ＣＣＤカメラ１５及び赤外ＣＣＤカメラ１８による撮像が終了した申請書１は更に搬送されて、排紙部２０内に排紙される。
【００３４】
また、この複写型ＩＤカード作成装置は上述の如くＣＣＤカメラ１５による画像読み取り及び赤外ＣＣＤカメラ１８による写真エッジ検知を同時期に行っているので、迅速にＩＤカードを作成することが可能である。
【００３５】
以上の如く、ＯＣＲ１３によって読み取られ、ＯＣＲ解読部１４で解読された個人データ１ａや登録番号１ｂのデータはメインＣＰＵからなるシステム制御部２１に送られる。また、ＣＣＤカメラ１５によって撮像され顔画像処理部１６で画像処理がされた顔写真２の顔写真画像データもシステム制御部２１に送られ、更に、赤外ＣＣＤカメラ１８により撮像され写真位置検出部１９にて検出された顔写真２の傾きや位置ずれのデータもシステム制御部２１に送られる。
【００３６】
システム制御部２１では赤外ＣＣＤカメラ１８により検出された写真エッジに基づいて、ＣＣＤカメラ１５にて撮像された画像の中から顔写真２の部分が切り出される。そして、赤外ＣＣＤカメラ１８により得た顔写真２の傾きや位置ずれのデータに基づいて、顔写真２が傾きや位置ずれのない状態になるように顔写真画像データが修正され、修正された顔写真画像データが個人データ１ａや登録番号１ｂのデータと共にＩＤカードプリンタ３１に出力され、ＩＤカードが作成される。
【００３７】
なお、以上の構成において、顔写真２の写真エッジを検知するために、申請書１の裏面側から赤外ＣＣＤカメラ１８により撮像したが、申請書１の厚み等の条件によっては必ずしも赤外ＣＣＤカメラ１８でなくてもよく、普通のＣＣＤカメラを用いてもよい。即ち、顔写真２の部分は厚いので、照明灯１７によって照明しても透過光が少なく、顔写真２の周辺の申請書１のみの部分の透過量との差を検知できるからである。
【００３８】
更に、以上の構成は申請者が作成した申請書１に対しての処理に限定されるものはなく、申請書１に基づいて被申請者側で必要なデータが印字され、顔写真２が貼り付けられた台紙に対する処理であってもよい。
【００３９】
また、登録番号１ｂは必ずしも最初から申請書１に記載されていなくてもよく、システム制御部２１で適宜付与するようにしてもよい。
【００４０】
最後に「特許請求の範囲」で述べた用語と「発明の実施の形態」で述べた用語との対応を説明する。
【００４１】
特許請求の範囲における用紙は、申請書１や台紙に相当する。
特許請求の範囲における読取手段は、ＣＣＤカメラ１５に相当する。
【００４２】
特許請求の範囲における電磁波は、赤外光や可視光に相当する。
特許請求の範囲における貼付位置検出手段は、赤外ＣＣＤカメラ１８（通常のＣＣＤカメラでも可）及び写真位置検出部１９に相当する。
【００４３】
特許請求の範囲における顔写真の位置修正は、顔写真の曲がりと位置ずれの修正を含むものとする。
【００４４】
【発明の効果】
本発明の複写型ＩＤカード作成装置、ＩＤカード作成方法、及び複写型ＩＤカードによれば、用紙上の顔写真の貼付位置を確実に検出することが可能であり、そのために位置ずれのない高品質のＩＤカードを作成できるという効果を奏する。
【図面の簡単な説明】
【図１】ＩＤカードを申請するための申請書の図である。
【図２】複写型ＩＤカード作成装置の概略構成図である。
【符号の説明】
１  申請書
１ａ  個人データ
１ｂ  登録番号
２  顔写真
１３  ＯＣＲ
１５  ＣＣＤカメラ
１６  顔画像処理部
１８  赤外ＣＣＤカメラ
１９  写真位置検出部
２１  システム制御部
３１  ＩＤカードプリンタ
【図１】
2004174889.tif 000003
【図２】
2004174889.tif 000004